(57)【要約】【課題】駆動制御させることなしに回転動作直後の定着ローラ温度の落ち込みを防止することができる、もしくは装置の駆動制御時間を大幅に短縮させることができる定着装置を提供する。【解決手段】定着装置は、熱源２を有する加熱ローラ１と、定着ローラ３と、前記加熱ローラ１と前記定着ローラ３間に掛け回された無端状の定着ベルト６と、該定着ベルト６を介して前記定着ローラ３に圧接する加圧ローラ４とを有する。少なくとも加熱ローラ１の略上部から定着ローラ３の略下部まで連続した良熱伝導性材料から成るハウジング９で覆うとともに、定着ベルト６表層の離型層のベース材料であるフッ素樹脂に該フッ素樹脂よりも赤外線吸収率の高い材料を含有させる。【選択図】図１
2007163636.tif 000002
【特許請求の範囲】
【請求項１】
熱源を有する加熱ローラと、定着ローラと、前記加熱ローラと前記定着ローラ間に掛け回された無端状の定着ベルトと、該定着ベルトを介して前記定着ローラに圧接する加圧ローラとを有する定着装置において、
少なくとも加熱ローラの略上部から定着ローラの略下部まで連続した良熱伝導性材料から成るハウジングで覆うとともに、定着ベルト表層の離型層のベース材料であるフッ素樹脂に該フッ素樹脂よりも赤外線吸収率の高い材料を含有させたことを特徴とする定着装置。
【請求項２】
定着ベルトの加熱ローラと接触している部分と対向する前記ハウジングの内面部に該ハウジングの赤外線吸収率よりも高い赤外線吸収率をもつ赤外線吸収層を配置することを特徴とする請求項１に記載の定着装置。
【請求項３】
定着ベルトの加熱ローラと接触していない部分と対向する前記ハウジングの内面部に前記良熱伝導性材料の赤外線放射率よりも高い赤外線放射率をもつ赤外線放射層を配置することを特徴とする請求項１又は２に記載の定着装置。
【請求項４】
定着ベルトの加熱ローラと接触していない部分と対向する前記ハウジングの内面部に待機中のみ通電する発熱体を接触して配置することを特徴とする請求項１又は２に記載の定着装置。
【請求項５】
定着ベルトの加熱ローラと接触していない部分と対向する前記ハウジングの内面部又は外面部に該ハウジングの温度を検知する温度検知手段を設け、該温度検知手段が所定温度を検知するまで、連続的もしくは間欠的に装置の駆動制御を行い、該温度検知手段が所定温度以上を検知した後は、装置の駆動制御を行わないことを特徴とする請求項１〜４のいずれかに記載の定着装置。
【請求項６】
定着ローラと、該定着ローラに圧接された加圧ローラと、外部より前記定着ローラを加熱する少なくとも１個の加熱手段とを有する定着装置において、少なくとも加熱手段の略上部から定着ローラの略下部まで連続した良熱伝導性材料から成るハウジングで覆うとともに、定着ローラ表層の離型層のベース材料であるフッ素樹脂に該フッ素樹脂よりも赤外線吸収率の高い材料を含有させたことを特徴とする定着装置。
【請求項７】
加熱手段近傍の前記ハウジングの内面部に前記良熱伝導性材料の赤外線吸収率よりも高い赤外線吸収率をもつ赤外線吸収層を配置することを特徴とする請求項６に記載の定着装置。
【請求項８】
定着ローラ近傍の前記ハウジングの内面部に前記良熱伝導性材料の赤外線吸収率よりも高い赤外線吸収率をもつ赤外線吸収層を配置することを特徴とする請求項６又は７に記載の定着装置。
【請求項９】
定着ローラ近傍の前記ハウジングの内面部に待機中のみ通電する発熱体を接触して配置することを特徴とする請求項６又は７に記載の定着装置。
【請求項１０】
定着ローラ近傍の前記ハウジングの内面部又は外面部に該ハウジングの温度を検知する温度検知手段を設け、該温度検知手段が所定温度を検知するまで、連続的もしくは間欠的に装置の駆動制御を行い、該温度検知手段が所定温度以上を検知した後は、装置の駆動制御を行わないことを特徴とする請求項６〜９のいずれかに記載の定着装置。
【発明の詳細な説明】
【技術分野】
【０００１】
本発明は、画像形成装置に配設される定着装置に関するものである。
【背景技術】
【０００２】
複写機、プリンタ等の画像形成装置には、用紙上に転写されたトナー像を加熱定着させるための定着装置が配設される。特にカラー画像を形成する画像形成装置では、定着ベルト方式の定着装置、つまり、熱源を有する加熱ローラと、定着ローラと、上記加熱ローラと定着ローラ間に掛け回された無端状の定着ベルトと、該定着ベルトを介して上記定着ローラに圧接する加圧ローラを有しているものが採用されている。そして、特許文献１には、このような定着装置として、定着ローラ温度検知手段による検知温度が一定温度以下になると装置を回転駆動することによって回転動作直後の温度の落ち込みを防止するようにしたものが提案されている。
【特許文献１】特開２００３−３０７９６３号公報
【発明の開示】
【発明が解決しようとする課題】
【０００３】
しかしながら、定着ローラ温度が一定温度を下回るたびに回転駆動を頻繁に行わなければならないことから定着ローラや加熱ローラ、定着ベルト、加圧ローラなどの寿命が短くなってしまうという問題がある。
【０００４】
本発明は、上記従来の課題に鑑みてなされたものであり、駆動制御させることなしに回転動作直後の定着ローラ温度の落ち込みを防止することができる、もしくは装置の駆動制御時間を大幅に短縮させることができる定着装置を提供することを目的とする。
【課題を解決するための手段】
【０００５】
上記目的を達成するために本発明は、熱源を有する加熱ローラと、定着ローラと、前記加熱ローラと前記定着ローラ間に掛け回された無端状の定着ベルトと、該定着ベルトを介して前記定着ローラに圧接する加圧ローラとを有する定着装置において、少なくとも加熱ローラの略上部から定着ローラの略下部まで連続した良熱伝導性材料から成るハウジングで覆うとともに、定着ベルト表層の離型層のベース材料であるフッ素樹脂に該フッ素樹脂よりも赤外線吸収率の高い材料を含有させたことを特徴としている。
【０００６】
これによると、定着ベルトの加熱ローラと接触している部分より放射された赤外線が良熱伝導性材料から成るハウジングの加熱ローラの略上部にて光熱変換し、発生した熱が定着ベルトの加熱ローラに接触していない部分までハウジングに沿って熱伝導して、定着ローラの略下部までの定着ベルトの加熱ローラに接触していない部分に対して赤外線を放射する。放射された赤外線は離型層のベース材料であるフッ素樹脂に該フッ素樹脂よりも赤外線吸収率の高い材料を含有させた定着ベルト表層にて再び効率良く光熱変換され、これにより定着ベルト表面の温度を上昇させることが可能になるため、駆動制御させることなしに回転動作直後の定着ローラ温度の落ち込みを防止することができる、もしくは装置の駆動制御時間を大幅に短縮させることができる。
【０００７】
そして、定着ベルトの加熱ローラと接触している部分と対向する前記ハウジングの内面部に該ハウジングの赤外線吸収率よりも高い赤外線吸収率をもつ赤外線吸収層を配置することにより、定着ベルトの加熱ローラと接触している部分より放射された赤外線が良熱伝導性材料から成るハウジングの加熱ローラの略上部にて光熱変換する光熱変換効率を上げることができる。
【０００８】
また、定着ベルトの加熱ローラと接触していない部分と対向する前記ハウジングの内面部に前記良熱伝導性材料の赤外線放射率よりも高い赤外線放射率をもつ赤外線放射層を配置することにより、定着ローラの略下部までの定着ベルトの加熱ローラに接触していない部分に対して赤外線を放射する赤外線放射効率を上げることができる。
【０００９】
或いは、定着ベルトの加熱ローラと接触していない部分と対向する前記ハウジングの内面部に待機中のみ通電する発熱体を接触して配置することにより、定着ローラの略下部までの定着ベルトの加熱ローラに接触していない部分に対しての赤外線放射量を増やすことができ、発熱体をハウジングに接触させることで、発熱体自身の温度が高くなり発熱体の消費電力をさらに抑えることが可能となる。
【００１０】
なお、上記の構成では、定着ベルトの加熱ローラに接触していない部分に対向するハウジング内面部から赤外線放射によって定着ベルト温度を上昇させていることから、定着ベルト温度を回転駆動直後に落ち込まない温度に保つためには定着ベルトの加熱ローラに接触していない部分に対向するハウジング内面部の温度を所定の温度以上に保つ必要がある。しかしながら、電源投入時などハウジングの温度が低い時は定着ベルトを回転駆動直後に落ち込まない温度にするだけの赤外線量を供給することができなくなってしまう。
【００１１】
そこで、定着ベルトの加熱ローラと接触していない部分と対向する前記ハウジングの内面部又は外面部に該ハウジングの温度を検知する温度検知手段を設け、該温度検知手段が所定温度を検知するまで、連続的もしくは間欠的に装置の駆動制御を行い、該温度検知手段が所定温度以上を検知した後は、装置の駆動制御を行わないようにしている。
【００１２】
これによると、温度検出手段が所定温度以下の時は連続的もしくは間欠的に装置の駆動制御を行うことで定着ベルト温度を上昇させ、該温度検知手段が所定温度以上を検知した後は、装置の駆動制御を行わなくても、定着ベルトの加熱ローラと接触していない部分と対向する前記ハウジングの内面部から定着ベルトを回転駆動直後に落ち込まない温度にするだけの赤外線量を供給することができる。
【００１３】
また、本発明は、定着ローラと、該定着ローラに圧接された加圧ローラと、外部より前記定着ローラを加熱する少なくとも１個の加熱手段とを有する定着装置において、少なくとも加熱手段の略上部から定着ローラの略下部まで連続した良熱伝導性材料から成るハウジングで覆うとともに、定着ローラ表層の離型層のベース材料であるフッ素樹脂に該フッ素樹脂よりも赤外線吸収率の高い材料を含有させたことを特徴としている。
【００１４】
これによると、加熱手段より放射された赤外線が良熱伝導性材料から成るハウジングの加熱手段の略上部にて光熱変換し、発生した熱が定着ローラの略下部までハウジングを熱伝導して、定着ローラに対して赤外線を放射する。放射された赤外線は離型層のベース材料であるフッ素樹脂に該フッ素樹脂よりも赤外線吸収率の高い材料を含有させた定着ローラ表層にて再び効率良く光熱変換され、これにより定着ローラ表面の温度を上昇させることが可能になるため、駆動制御させることなしに回転動作直後の定着ローラ温度の落ち込みを防止することができる、もしくは装置の駆動制御時間を大幅に短縮させることができる。
【００１５】
そして、加熱手段近傍の前記ハウジングの内面部に前記良熱伝導性材料の赤外線吸収率よりも高い赤外線吸収率をもつ赤外線吸収層を配置することにより、加熱手段より放射された赤外線がハウジングの加熱手段近傍にて光熱変換する光熱変換効率を上げることができる。
【００１６】
また、定着ローラ近傍の前記ハウジングの内面部に前記良熱伝導性材料の赤外線吸収率よりも高い赤外線吸収率をもつ赤外線吸収層を配置することにより、定着ローラ近傍から定着ローラに対して赤外線を放射する赤外線放射効率を上げることができる。
【００１７】
或いは、定着ローラ近傍の前記ハウジングの内面部に待機中のみ通電する発熱体を接触して配置することにより、定着ローラに対しての赤外線放射量を増やすことができ、発熱体をハウジングに接触させることで、発熱体自身の温度が高くなり消費電力をさらに抑えることが可能となる。
【００１８】
なお、上記の構成では、定着ベルト近傍のハウジング内面部から赤外線放射によって定着ベルト温度を上昇させていることから、定着ローラ温度を回転駆動直後に落ち込まない温度に保つためには定着ベルト近傍のハウジング内面部の温度を所定の温度以上に保つ必要がある。しかしながら、電源投入時などハウジングの温度が低い時は定着ローラを回転駆動直後に落ち込まない温度にするだけの赤外線量を供給することができなくなってしまう。
【００１９】
そこで、定着ベルト近傍の前記ハウジングの内面部又は外面部に該ハウジングの温度を検知する温度検知手段を設け、該温度検知手段が所定温度を検知するまで、連続的もしくは間欠的に装置の駆動制御を行い、該温度検知手段が所定温度以上を検知した後は、装置の駆動制御を行わないようにしている。
【００２０】
これによると、温度検出手段が所定温度以下の時は連続的もしくは間欠的に装置の駆動制御を行うことで定着ベルト温度を上昇させ、該温度検知手段が所定温度以上を検知した後は、装置の駆動制御を行わなくても、定着ベルト近傍の前記ハウジングの内面部から定着ベルトを回転駆動直後に落ち込まない温度にするだけの赤外線量を供給することができる。
【発明の効果】
【００２１】
本発明によると、定着ベルト表面の温度を上昇させることが可能になるため、駆動制御させることなしに回転動作直後の定着ローラ温度の落ち込みを防止することができる、もしくは装置の駆動制御時間を大幅に短縮させることができる。
【発明を実施するための最良の形態】
【００２２】
以下、本発明を実施するための最良の形態について図面を参照して説明する。
【００２３】
図１は、本発明の第１の実施形態に係る定着装置を示す模型的断面図である。
【００２４】
本実施形態の定着装置は、内部に熱源としてのハロゲンヒータ２を有する加熱ローラ１と定着ローラ３と、加熱ローラ１と定着ローラ３間に掛け回された無端状の定着ベルト６と、内部に熱源としてのハロゲンヒータ５を有し、図示しない加圧手段により定着ベルト６を介して定着ローラ３に圧接された加圧ローラ４と、加熱ローラ１の温度を検知する温度検知手段としてのサーミスタ７と加圧ローラ４の表面温度を検知する温度検知手段としてのサーミスタ８と、加熱ローラ１の略上部から定着ローラ３の略下部までを連続的に覆うように配置された良熱伝導性のハウジング９と、定着ベルト６の加熱ローラ１と接触している部分に対向するハウジング９の内面部（定着ベルト６の加熱ローラ１と接触している部分から赤外線が照射されるハウジング９の内面部）に塗布した赤外線吸収率の高い塗料１０と、定着ベルト６の加熱ローラ１と接触していない部分に対向するハウジング９の内面部（定着ベルト６の加熱ローラ１と接触していない部分に赤外線が照射されるハウジング９の内面部）に塗布した赤外線放射率の高い塗料１１とを有している。
【００２５】
加熱ローラ１は長手方向の温度ムラを防止するため、熱伝導率の良好なＡｌやＦｅ等の金属材料で構成されている。また図示しない制御手段はサーミスタ７の検知情報に基づいてハロゲンヒータ２をＯＮ・ＯＦＦ制御している。
【００２６】
加熱ローラ１に巻き付いている定着ベルト６は、加熱ローラ１によって加熱される。定着ベルト６はＮｉや耐熱性のポリイミド樹脂等のベース層上にＳｉゴム等の弾性層を設け、さらにその上に離型層であるフッ素樹脂にカーボン等フッ素樹脂よりも赤外線や遠赤外線領域の吸収率が高い材料を含有させたものをコートしたり、予めチューブ状に成型されたものを被覆する等して構成される。また定着ベルト６は定着ローラ３の両端部、もしくは加熱ローラ１の両端部に設けた図示しない寄り止め部材によってベルト寄りを規制されている。
【００２７】
定着ローラ３はＡｌやメッキを施したＦｅ等の無垢もしくはパイプ状の芯金上にＳｉゴム層を有している。
【００２８】
加圧ローラ４はＡｌやメッキを施したＦｅ等のパイプ状の芯金上にＳｉゴム層を有し、さらにその上離型層としてフッ素樹脂をコートしたり、予めチューブ状に成型されたものを被覆する等して構成される。また図示しない制御手段はサーミスタ８の検知情報に基づいてハロゲンヒータ５をＯＮ・ＯＦＦ制御している。
【００２９】
加圧ローラ４は図示しない本体側の駆動ギアに連結されており、回転駆動される。定着ベルト６は加圧ローラ４と定着ローラ３に挟まれたニップ部によって回転させられ、定着ローラ３を連れ回りで回転させる。
【００３０】
ハウジング９は熱伝導率の良好なＡｌやＦｅ等の金属材料で構成されている。また塗料１０は赤外線や遠赤外線領域の吸収率を高めるように設計された有機物やカーボン材料を含有した耐熱性塗料であり、塗料１１は赤外線や遠赤外線領域の放射率を高めるように設計された有機物やカーボン材料を含有した耐熱性塗料である。この時ハウジング９の赤外線や遠赤外線領域の吸収及び放射率はなるべく低く抑えるのが望ましく、例えば金属材料を用いたり、表面粗さを小さくするのが良い。
【００３１】
上記のように構成された本実施形態の定着装置を駆動すると、定着ベルト６の加熱ローラ１と接触している部分より放射された赤外線が良熱伝導性材料から成るハウジング９の加熱ローラ１の略上部にて光熱変換する。このとき、定着ベルト６の加熱ローラ１と接触している部分と対向する前記ハウジング９の内面部に該ハウジング９の赤外線吸収率よりも高い赤外線吸収率をもつ塗料１０を配置したことにより、定着ベルト６の加熱ローラ１と接触している部分より放射された赤外線が良熱伝導性材料から成るハウジング９の加熱ローラ１の略上部にて光熱変換する光熱変換効率を上げることができる。
【００３２】
そして、光熱変換された熱は定着ベルト６の加熱ローラ１に接触していない部分までハウジング９に沿って熱伝導して、定着ローラ６の略下部までの定着ベルト６の加熱ローラ１に接触していない部分に対して赤外線を放射する。放射された赤外線は離型層のベース材料であるフッ素樹脂に該フッ素樹脂よりも赤外線吸収率の高い材料を含有させた定着ベルト６表層にて再び効率良く光熱変換され、これにより定着ベルト６表面の温度を上昇させることが可能になる。このとき、定着ベルト６の加熱ローラ１と接触していない部分と対向する前記ハウジング９の内面部に前記良熱伝導性材料の赤外線放射率よりも高い赤外線放射率をもつ塗料１１を配置したことにより、定着ローラ３の略下部までの定着ベルト６の加熱ローラ１に接触していない部分に対して赤外線を放射する赤外線放射効率を上げることができる。
【００３３】
なお、本実施形態では縦搬送（用紙が垂直方向に搬送される）となっているが、横搬送（用紙が水平方向に搬送される）でも同様の効果を得ることができる。
【００３４】
図２は、本発明の第２の実施形態に係る定着装置を示す模型的断面図である。
【００３５】
本実施形態の定着装置は、内部に熱源としてのハロゲンヒータ２２を有する加熱ローラ２１とベルト支持ローラ２３と、加熱ローラ２１とベルト支持ローラ２３間に掛け回された無端状の定着ベルト２６と、図示しない加圧手段により加熱ローラ２１に定着ベルト２６を介して圧接された定着ローラ２４と、図示しない加圧手段により定着ローラ２４に圧接された加圧ローラ２５と、加熱ローラ２１の温度を検知する温度検知手段としてのサーミスタ２９と、定着ローラ２４の温度を検知する温度検知手段としてのサーミスタ２７と、加熱ローラ２１の略上部から定着ローラ２４の略下部までを連続的に覆うように配置された良熱伝導性のハウジング３０と、定着ベルト２６の加熱ローラ２１と接触している部分に対向するハウジング３０の内面部（定着ベルト２６の加熱ローラ２１と接触している部分から赤外線が照射されるハウジング３０の内面部）に塗布した赤外線吸収率の高い塗料３１と、定着ローラ２４の下方で定着ローラ２４に対向しているハウジング３０の内面部（定着ローラ２４に赤外線が照射されるハウジング３０の内面部）に設けられ待機時のみ通電され発熱するシートヒータ３２とを有している。
【００３６】
加熱ローラ２１は長手方向の温度ムラを防止するため、熱伝導率の良好なＡｌやＦｅ等の金属材料で構成されている。また図示しない制御手段はサーミスタ２９の検知情報に基づいてハロゲンヒータ２２をＯＮ・ＯＦＦ制御している。
【００３７】
ベルト支持ローラ２３は長手方向の温度ムラを防止するため熱伝導率の良好なＡｌやＦｅ等の金属材料か、もしくは昇温時間を早める目的で定着ベルト２６からの熱伝導を抑えるためにＡｌやＦｅ等の金属材料の芯金上にＳｉゴムスポンジ層を有したもの等で構成されている。加熱ローラ２１とベルト支持ローラ２３に巻き付いている定着ベルト２６は、加熱ローラ２１によって加熱される。定着ベルト２６はＮｉや耐熱性のポリイミド樹脂等のベース層上に離型層であるフッ素樹脂をコートしたり、予めチューブ状に成型されたものを被覆する等して構成される。また定着ベルト２６は加熱ローラ２１の両端部、もしくはベルト支持ローラ２３の両端部に設けた図示しない寄り止め部材によってベルト寄りを規制されている。
【００３８】
定着ローラ２４はＡｌやメッキを施したＦｅ等の無垢もしくはパイプ状の芯金上にＳｉゴム層を有し、さらにその上に離型層でとしてフッ素樹脂にカーボン等フッ素樹脂よりも赤外線や遠赤外線領域の吸収率が高い材料を含有させたものをコートしたり、予めチューブ状に成型されたものを被覆する等して構成される。
【００３９】
定着ローラ２４は図示しない本体側の駆動ギアに連結されており、回転駆動される。定着ベルト２６は定着ローラ２４と加熱ローラ２１に挟まれたニップ部によって回転させられ、加熱ローラ２１とベルト支持ローラ２３を連れ回りで回転させる。また図示しない制御手段はサーミスタ２７の検知情報に基づいてハロゲンヒータ２２のＯＮ・ＯＦＦ制御や装置の回転駆動制御を行っている。
【００４０】
加圧ローラ２５はＡｌやメッキを施したＦｅ等の無垢もしくはパイプ状の芯金上にＳｉゴム層を有し、さらにその上に離型層としてフッ素樹脂をコートしたり、予めチューブ状に成型されたものを被覆する等して構成される。
【００４１】
ハウジング３０は熱伝導率の良好なＡｌやＦｅ等の金属材料で構成されている。また塗料３１は赤外線や遠赤外線領域の吸収率を高めるように設計された有機物やカーボン材料を含有した耐熱性塗料である。
【００４２】
シートヒータ３２は定着ローラ２４近傍のハウジング３０に接触させて配置する。こうすることで同じ消費電力の時にハウジング３０に接触させない場合に比べてシートヒータ３２の温度を高く保つことが可能となる。またシートヒータ３２の消費電力を設定して待機時は常に通電させておくことでシートヒータを飽和温度で使用しても良いし、図示しないサーミスタにて所定温度になるように通電を制御しても良い。この時ハウジング３０の赤外線や遠赤外線領域の吸収及び放射率はなるべく低く抑えるのが望ましく、例えば金属材料を用いたり、表面粗さを小さくするのが良い。
【００４３】
上記のように構成された本実施形態の定着装置を駆動すると、定着ベルト２６の加熱ローラ２１と接触している部分より放射された赤外線が良熱伝導性材料から成るハウジング３０の加熱ローラ２１の略上部にて光熱変換する。このとき、定着ベルト２６の加熱ローラ２１と接触している部分と対向する前記ハウジング３０の内面部に該ハウジング３０の赤外線吸収率よりも高い赤外線吸収率をもつ塗料３１を配置したことにより、定着ベルト２６の加熱ローラ２１と接触している部分より放射された赤外線が良熱伝導性材料から成るハウジング３０の加熱ローラ２１の略上部にて光熱変換する光熱変換効率を上げることができる。
【００４４】
そして、光熱変換された熱は定着ベルト２６の加熱ローラ２１に接触していない部分までハウジング３０に沿って熱伝導して、定着ローラ２４に対して赤外線を放射する。放射された赤外線は離型層のベース材料であるフッ素樹脂に該フッ素樹脂よりも赤外線吸収率の高い材料を含有させた定着ローラ２４表層にて再び効率良く光熱変換され、これにより定着ローラ２４表面の温度を上昇させることが可能になる。このとき、定着ローラ２４の下方で定着ローラ２４に対向しているハウジング３０の内面部に設けられ待機時のみ通電され発熱するシートヒータ３２を接触して配置したことにより、定着ローラ２４に対しての赤外線放射量を増やすことができ、シートヒータ３２をハウジング３０に接触させることで、シートヒータ３２自身の温度が高くなり消費電力をさらに抑えることが可能となる。
【００４５】
なお、本実施形態では縦搬送（用紙が垂直方向に搬送される）となっているが、横搬送（用紙が水平方向に搬送される）でも同様の効果を得ることができる。
【００４６】
図３は、本発明の第３の実施形態に係る定着装置を示す模型的断面図である。
【００４７】
本実施形態の定着装置は、内部に熱源としてのハロゲンヒータ４２を有する加熱ローラ４１と、図示しない加圧手段により加熱ローラ４１に圧接された定着ローラ４３と、内部に熱源としてのハロゲンヒータ４５を有し、図示しない加圧手段により定着ローラ４３に圧接された加圧ローラ４４と、加熱ローラ４１の温度を検知する温度検知手段としてのサーミスタ４６と、定着ローラ４３の温度を検知する温度検知手段としてのサーミスタ４７と、加圧ローラ４４の温度を検知する温度検知手段としてのサーミスタ４８と、加熱ローラ４１の略上部から定着ローラ４３の略下部までを連続的に覆うように配置された良熱伝導性のハウジング４９と、定着ローラ４３下方で定着ローラ４３に対向するハウジング４９の外面部（定着ローラ４３に赤外線が照射されるハウジング４９の外面部）に設けられのハウジング４９の温度を検知する温度検知手段としてのサーミスタ５０を有している。
【００４８】
加熱ローラ４１は長手方向の温度ムラを防止するため、熱伝導率の良好なＡｌやＦｅ等の金属材料で構成されている。また図示しない制御手段はサーミスタ４６の検知情報に基づいてハロゲンヒータ４２をＯＮ・ＯＦＦ制御している。
【００４９】
定着ローラ４３は、Ａｌやメッキを施したＦｅ等の無垢もしくはパイプ状の芯金上にＳｉゴム層を有し、さらにその上に離型層でとしてフッ素樹脂にカーボン等フッ素樹脂よりも赤外線や遠赤外線領域の吸収率が高い材料を含有させたものをコートしたり、予めチューブ状に成型されたものを被覆する等して構成される。
【００５０】
定着ローラ４３は、図示しない本体側の駆動ギアに連結されており、回転駆動され、加熱ローラ４１を連れ回りで回転させる。また図示しない制御手段はサーミスタ４７の検知情報に基づいてハロゲンヒータ４２のＯＮ・ＯＦＦ制御や装置の回転駆動制御を行っている。
【００５１】
加圧ローラ４４は、Ａｌやメッキを施したＦｅ等のパイプ状の芯金上にＳｉゴム層を有し、さらにその上離型層としてフッ素樹脂をコートしたり、予めチューブ状に成型されたものを被覆する等して構成される。また図示しない制御手段はサーミスタ４８の検知情報に基づいてハロゲンヒータ４５をＯＮ・ＯＦＦ制御している。
【００５２】
ハウジング４９は、熱伝導率の良好なＡｌやＦｅ等の金属材料で構成されている。
【００５３】
サーミスタ５０は、定着ローラ４３近傍のハウジング４９の温度を検知しており、電源投入時などハウジング４９の温度が低い時のみ、図示しない制御手段にて連続的もしくは間欠的に装置の駆動制御を行い、所定温度以上を検知した後は、装置の駆動制御を行わないように制御する。この時ハウジング４９の外側の赤外線や遠赤外線領域の吸収及び放射率はなるべく低く抑えるのが望ましく、例えば金属材料を用いたり、表面粗さを小さくすると良い。一方、内側については表面粗さを粗めにするなどして赤外線や遠赤外線領域の吸収及び放射率を外側よりも大きくなるよう設定にする。
【００５４】
上記のように構成された本実施形態の定着装置によると、サーミスタ５０が所定温度以上を検知した後は、装置の駆動制御を行わなくても、定着ローラ４３近傍の前記ハウジング４９の内面部から定着ローラ４３を回転駆動直後に落ち込まない温度にするだけの赤外線量を供給することができる。
【００５５】
従って、定着装置の駆動制御時間を大幅に短縮させることができる。
【００５６】
なお、本実施形態では縦搬送（用紙が垂直方向に搬送される）となっているが、横搬送（用紙が水平方向に搬送される）でも同様の効果を得ることができる。
【００５７】
また上記のように本発明の実施形態を示したが、この他、発明の主旨を逸脱しない範囲で種々の変更を加えて実施することができる。例えば、ハウジングの外面部の全域に、この金属材料よりも熱伝導率の低い材料から成るカバー部材やカバー層を設けても構わない。また、シートヒータはハウジングの外面部に接触して配置するものとしたが、ハウジングの内面部に接触して配置しても構わない。また、上記実施形態間で、ハウジングに配置する塗料、シートヒータ又はサーミスタの構成を、入れ替えて実施しても同様の効果を得ることができる。
【産業上の利用可能性】
【００５８】
本発明は、画像形成装置に利用することができる。
【図面の簡単な説明】
【００５９】
【図１】は、本発明の第１の実施形態に係る定着装置を示す模型的断面図である。
【図２】は、本発明の第２の実施形態に係る定着装置を示す模型的断面図である。
【図３】は、本発明の第３の実施形態に係る定着装置を示す模型的断面図である。
【符号の説明】
【００６０】
１    加熱ローラ
２    ハロゲンヒータ
３    定着ローラ
４    加圧ローラ
５    ハロゲンヒータ
６    定着ベルト
７    サーミスタ
８    サーミスタ
９    ハウジング
１０  塗料
１１  塗料
２１  加熱ローラ（加熱手段）
２２  ハロゲンヒータ（加熱手段）
２３  ベルト支持ローラ
２４  定着ローラ
２５  加圧ローラ
２６  定着ベルト（加熱手段）
２７  サーミスタ
２９  サーミスタ
３０  ハウジング
３１  塗料
３２  シートヒータ（発熱体）
４１  加熱ローラ（加熱手段）
４２  ハロゲンヒータ（加熱手段）
４３  定着ローラ
４４  加圧ローラ
４５  ハロゲンヒータ
４６  サーミスタ
４７  サーミスタ
４８  サーミスタ
４９  ハウジング
５０  サーミスタ
【図１】
2007163636.tif 000003
【図２】
2007163636.tif 000004
【図３】
2007163636.tif 000005